【手続補正書】
【提出日】平成20年7月14日(2008.7.14)
【手続補正１】
【補正対象書類名】特許請求の範囲
【補正対象項目名】全文
【補正方法】変更
【補正の内容】
【特許請求の範囲】
【請求項１】
第１の装置と第２の装置とに接続され、映像または音声を再生する再生装置であって、
前記第１の装置は、映像または音声の出力を開始することを通知するためのコマンドである通知コマンドを受信すると、前記通知コマンドの送信元である前記再生装置および前記第２の装置の何れかからの出力を受信するために入力を切り換え、
前記第２の装置は、映像または音声の出力を開始するように指示するためのコマンドである指示コマンドを受信すると、前記通知コマンドを前記第１の装置に送信し、
前記再生装置は、
記録媒体に記録されている映像または音声を再生する再生手段と、
再生された映像または音声を前記第１の装置に出力するデータ出力手段と、
再生された映像または音声の出力が終了した時、前記指示コマンドを前記第２の装置に送信するコマンド送信手段と
を備える
ことを特徴とする再生装置。
【請求項２】
前記第２の装置は、自装置が前記第１の装置に接続されていることを示すコマンドである接続コマンドを前記再生装置に送信し、
前記コマンド送信手段は、前記接続コマンドを前記再生装置より受信している場合のみ、前記指示コマンドを前記第２の装置に送信する
ことを特徴とする請求項１に記載の再生装置。
【請求項３】
前記再生装置はさらに、
ユーティリティ画面を作成する画面作成手段を備え、
前記データ出力手段は、作成されたユーティリティ画面を前記第１の装置へ出力し、
前記コマンド送信手段は、作成されたユーティリティ画面の出力が終了した時、前記指示コマンドを前記第２の装置に送信する
ことを特徴とする請求項１に記載の再生装置。
【請求項４】
前記第２の装置は、自装置の製造元を示すコマンドである製造元コマンドを前記再生装置に送信し、
前記コマンド送信手段は、前記製造元コマンドによって示される製造元が所定の製造元であると前記再生装置により判定された場合のみ、前記指示コマンドを前記第２の装置に送信する
ことを特徴とする請求項１に記載の再生装置。
【請求項５】
前記再生装置はさらに、
受信したテレビ放送を所定形式の映像または音声に変換する変換手段と、
変換された映像または音声を前記記録媒体に記録する記録手段と
を備えることを特徴とする請求項１に記載の再生装置。
【請求項６】
映像または音声を再生する再生システムであって、
映像または音声の出力を開始することを通知するためのコマンドである通知コマンドを受信すると、前記通知コマンドの送信元である再生装置および第２の装置の何れかからの出力を受信するために入力を切り換える第１の装置と、
映像または音声の出力を開始するように指示するためのコマンドである指示コマンドを受信すると、前記通知コマンドを前記第１の装置に送信する第２の装置と、
記録媒体に記録されている映像または音声を再生し、再生された映像または音声を前記第１の装置に出力するとともに、再生された映像または音声の出力が終了した時、前記指示コマンドを前記第２の装置に送信する前記再生装置と
を備えることを特徴とする再生システム。
【請求項７】
記憶媒体からのデータを再生し、第１の装置及び第２の装置にコマンドを送信する再生装置であって、
前記記憶媒体からのデータを再生する再生手段と、
前記再生データ及びメニュー画面データの少なくとも１つを前記第１の装置に出力するデータ出力手段と、
前記データ出力手段からの前記再生データ及びメニュー画面データの少なくとも１つの出力を開始する際、前記再生装置の前記データ出力手段により出力された前記再生データ及びメニュー画面データの少なくとも１つを受信するよう前記第１の装置に指示する通信コマンドを前記第１の装置に送信し、前記データ出力手段からの前記再生データ及びメニュー画面データの少なくとも１つの出力を終了する際、前記第１の装置が前記第２の装置より出力されたデータを受信するよう前記第２の装置に指示させる指示コマンドを前記第２の装置に送信するコマンド送信手段と
を備えることを特徴とする再生装置。
【請求項８】
前記再生装置はＤＶＤプレーヤーであり、前記第１の装置はテレビであり、前記第２の装置は放送受信機である
ことを特徴とする請求項７に記載の再生装置。
【請求項９】
前記再生装置の前記コマンド送信手段は、前記第１の装置を介して前記指示コマンドを前記第２の装置に送信する
ことを特徴とする請求項７に記載の再生装置。
【請求項１０】
前記再生装置は、少なくともケーブル及び無線信号のうちいずれか一方を用いて、データ及びコマンドを前記第１の装置及び前記第２の装置に送信する
ことを特徴とする請求項７に記載の再生装置。
【請求項１１】
前記再生装置は、さらに、データを前記記録媒体に記録する記録手段を備える
ことを特徴とする請求項７に記載の再生装置。
【請求項１２】
前記再生装置は、さらに、前記第２の装置の製造元が所定の製造元に含まれているかどうかを決定するために用いられる、所定の製造元の一覧を格納するための格納手段を備える
ことを特徴とする請求項７に記載の再生装置。
【請求項１３】
データを再生するための再生システムであって、
記録媒体からのデータを再生し、前記再生データ及びメニュー画面データを出力し、前記再生データ及びメニュー画面データの少なくとも１つの出力を開始する際に通知コマンドを出力し、前記再生データ及びメニュー画面データの少なくとも１つの出力を終了する際に指示コマンドを出力する再生装置と、
前記通知コマンドを受信し、前記通知コマンドを受信した場合に前記再生装置からの前記再生データ及びメニュー画面データの少なくとも１つの出力を受信するために入力を切り換える第１の装置と、
データを出力し、前記指示コマンドを受信し、前記指示コマンドを受信した場合に第２の装置より出力されたデータを受信するよう前記第１の装置に指示する前記第２の装置と
を備えることを特徴とする再生システム。
【請求項１４】
前記再生装置、第１の装置及び第２の装置の各々は、テレビ・チューナーを含む
ことを特徴とする請求項１３に記載の再生システム。
【請求項１５】
前記再生装置はＤＶＤプレーヤーであり、前記第１の装置はテレビであり、前記第２の装置は放送受信機である
ことを特徴とする請求項１３に記載の再生システム。
【請求項１６】
前記再生装置は、さらに、データを前記記録媒体に記録する記録手段を備える
ことを特徴とする請求項１３に記載の再生システム。
【請求項１７】
前記再生装置は、所定の製造元の一覧を格納する格納手段を備え、
前記第２の装置は、前記第２の装置の製造元情報を格納するための装置情報格納手段を備え、
前記再生データ及びメニュー画面データのうち少なくとも１つの出力を終了し、前記第２の装置の装置情報格納手段に格納された製造元情報が前記再生装置の格納手段に格納された前記所定の製造元の一覧に含まれている場合のみ、前記再生装置は前記指示コマンドを送信する
ことを特徴とする請求項１３に記載の再生システム。
【手続補正２】
【補正対象書類名】明細書
【補正対象項目名】発明の名称
【補正方法】変更
【補正の内容】
【発明の名称】再生装置およびシステム
【手続補正３】
【補正対象書類名】明細書
【補正対象項目名】０００６
【補正方法】変更
【補正の内容】
【０００６】
例えば、下記に示される特許文献１に開示されている再生装置は、再生を開始すると、自装置の出力端子が接続されているテレビの入力端子に入力を切り換えることを指示する信号をテレビに送信する。また、この再生装置は、電源オフ状態になるときに、テレビの入力をアンテナもしくはチューナに切り換えることを指示する信号をテレビに送信する。これによって、再生装置が再生を開始すると、その再生映像をテレビの画面に表示し、再生装置が電源オフ状態になるときに、テレビのアンテナもしくはチューナで受信した映像をテレビの画面に表示することが可能となる。
【手続補正４】
【補正対象書類名】明細書
【補正対象項目名】０００７
【補正方法】変更
【補正の内容】
【０００７】
なお、ＡＶ．ｌｉｎｋ規格（下記に示される非特許文献１）では、テレビやＶＴＲなどが連携して動作するためのコマンドが規定されている。この規格によると、ＶＴＲが再生を開始した時や、ＶＴＲがメニュー画面を表示した時、ＶＴＲはテレビに所定のコマンドを発行する。これによって、テレビをスタンバイ状態からＶＴＲの画面を表示できる状態にすることができる。
【特許文献１】特開２０００−３５０１３１号公報
【非特許文献１】ＣＥＮＥＬＥＣ  ＡＶ．ｌｉｎｋ（ＥＮ５０１５７−１、ＥＮ５０１５７−２−１、ＥＮ５０１５７−２−２、ＥＮ５０１５７−２−３）
【手続補正５】
【補正対象書類名】明細書
【補正対象項目名】００１１
【補正方法】変更
【補正の内容】
【００１１】
前記目的を達成するために、本発明に係る再生装置は、第１の装置と第２の装置とに接続され、映像または音声を再生する再生装置であって、前記第１の装置は、映像または音声の出力を開始することを通知するためのコマンドである通知コマンドを受信すると、前記通知コマンドの送信元である前記再生装置および前記第２の装置の何れかからの出力を受信するために入力を切り換え、前記第２の装置は、映像または音声の出力を開始するように指示するためのコマンドである指示コマンドを受信すると、前記通知コマンドを前記第１の装置に送信し、前記再生装置は、記録媒体に記録されている映像または音声を再生する再生手段と、再生された映像または音声を前記第１の装置に出力するデータ出力手段と、再生された映像または音声の出力が終了した時、前記指示コマンドを前記第２の装置に送信するコマンド送信手段とを備える。これによって、再生された映像または音声の出力が終了した時、再生装置から第２の装置に指示コマンドが送信され、第２の装置から第１の装置に通知コマンドが送信され、第１の装置の入力が、通知コマンドの送信元装置（ここでは第２の装置）からの出力に切り換わる。すなわち、再生された映像または音声の出力が終了した時、第１の装置（例えばテレビ）の入力を自動的に第２の装置（例えばＳＴＢ）からの出力に切り換えることが可能となる。
【手続補正６】
【補正対象書類名】明細書
【補正対象項目名】００１２
【補正方法】変更
【補正の内容】
【００１２】
ここで、前記第２の装置は、自装置が前記第１の装置に接続されていることを示すコマンドである接続コマンドを前記再生装置に送信し、前記コマンド送信手段は、前記接続コマンドを前記再生装置より受信している場合のみ、前記指示コマンドを前記第２の装置に送信してもよい。これによって、第２の装置が第１の装置に接続されている場合のみ、指示コマンドを第２の装置に送信することが可能となる。
【手続補正７】
【補正対象書類名】明細書
【補正対象項目名】００１４
【補正方法】変更
【補正の内容】
【００１４】
また、前記第２の装置は、自装置の製造元を示すコマンドである製造元コマンドを前記再生装置に送信し、前記コマンド送信手段は、前記製造元コマンドによって示される製造元が所定の製造元であると前記再生装置により判定された場合のみ、前記指示コマンドを前記第２の装置に送信してもよい。これによって、第２の装置の製造元が所定の製造元である場合のみ、指示コマンドを第２の装置に送信することが可能となる。
【手続補正８】
【補正対象書類名】明細書
【補正対象項目名】００３９
【補正方法】変更
【補正の内容】
【００３９】
また、制御部１０２は、データ出力Ｉ／Ｆ１０９がＤＶＤ−ＲＡＭディスク１１１の再生データの出力もしくはメニュー画面の出力を終了してＥＥ画面の出力を開始した時、出力開始指示コマンドを送信するようにコマンド送受信Ｉ／Ｆ１１０に指示する。コマンド送受信Ｉ／Ｆ１１０は、コマンド用ケーブル１２３ａ、テレビ１３１およびコマンド用ケーブル１２３ｂを通して出力開始指示コマンドをＳＴＢ１５１に送信する。なお、ＤＶＤレコーダ１０１とＳＴＢ１５１とが接続されていない場合、制御部１０２は、出力開始指示コマンドを送信するようにコマンド送受信Ｉ／Ｆ１１０に指示しなくてもよい。
【手続補正９】
【補正対象書類名】明細書
【補正対象項目名】００４５
【補正方法】変更
【補正の内容】
【００４５】
チューナ１３６は、アンテナ１２１で受信したテレビ放送から特定のチャンネルの映像音声データを取り出してスイッチ１３７に出力する。スイッチ１３７は、チューナ１３６から受け取った映像音声データを出力処理部１３５に出力する。出力処理部１３５は、スイッチ１３７から受け取った映像音声データのうち、映像データを画面１３２に出力し、音声データをスピーカ１３３に出力する。このとき、出力処理部１３５は、例えば受信チャンネル番号表示を追加するなど、制御部１３４からの指示に応じて映像データを加工することもある。
【手続補正１０】
【補正対象書類名】明細書
【補正対象項目名】００５１
【補正方法】変更
【補正の内容】
【００５１】
その後、制御部１３４は、ユーザ操作部１３８から「メニュー閉じる」指示を受け取るなど、メニュー画面を閉じる必要が生じた場合、メニュー終了を出力処理部１３５に指示する。出力処理部１３５は、制御部１３４からメニュー終了指示を受け取ると、メニュー画面の作成および出力を終了し、スイッチ１３７から受け取った映像音声データを画面１３２およびスピーカ１３３に出力する。
【手続補正１１】
【補正対象書類名】明細書
【補正対象項目名】００５２
【補正方法】変更
【補正の内容】
【００５２】
［自動入力切換動作］
コマンド送受信Ｉ／Ｆ１４０ａまたは１４０ｂは、コマンド用ケーブル１２３ａまたは１２３ｂを通して外部装置（図２ではＤＶＤレコーダ１０１もしくはＳＴＢ１５１）からコマンドを受け取ると、そのコマンドを制御部１３４に出力する。制御部１３４は、コマンド送受信Ｉ／Ｆ１４０ａまたは１４０ｂから受け取ったコマンドが出力開始通知コマンドである場合、この出力開始通知コマンドの送信元装置が接続されているデータ入力Ｉ／Ｆ１３９ａまたは１３９ｂからの入力に切り換えるようにスイッチ１３７に指示する。例えば、出力開始通知コマンドの送信元装置がＤＶＤレコーダ１０１である場合、スイッチ１３７の入力はデータ入力Ｉ／Ｆ１３９ａに切り換わることになる。
【手続補正１２】
【補正対象書類名】明細書
【補正対象項目名】００５６
【補正方法】変更
【補正の内容】
【００５６】
［コマンド送受信動作］
制御部１５２は、必要に応じて、装置通知コマンドを送信するようにコマンド送受信Ｉ／Ｆ１５７に指示する。コマンド送受信Ｉ／Ｆ１５７は、装置通知コマンドをコマンド用ケーブル１２３ｂを通して外部装置に送信する。装置通知コマンドを送信するタイミングは、例えばＳＴＢ１５１とテレビ１３１を接続した時や、ＳＴＢ１５１の電源を入れた時である。
【手続補正１３】
【補正対象書類名】明細書
【補正対象項目名】００５７
【補正方法】変更
【補正の内容】
【００５７】
また、コマンド送受信Ｉ／Ｆ１５７は、外部装置から出力開始指示コマンドを受け取ると、この出力開始指示コマンドを制御部１５２に渡す。制御部１５２は、コマンド送受信Ｉ／Ｆ１５７から出力開始指示コマンドを受け取ると、出力開始通知コマンドを送信するようにコマンド送受信Ｉ／Ｆ１５７に指示する。コマンド送受信Ｉ／Ｆ１５７は、出力開始通知コマンドをコマンド用ケーブル１２３ｂを通してテレビ１３１などの接続されている装置に送信する。
【手続補正１４】
【補正対象書類名】明細書
【補正対象項目名】００７２
【補正方法】変更
【補正の内容】
【００７２】
また、テレビ１３１は、二つのデータ入力Ｉ／Ｆを備えていると説明したが、三つ以上のデータ入力Ｉ／Ｆを備えていてもよい。これらのデータ入力Ｉ／Ｆは、同一の種類であってもよいし、異なる種類であってもよい。さらに、データ入力Ｉ／Ｆに同時に接続できる装置は一台であってもよいし、複数台であってもよい。要するに、コマンド送受信Ｉ／Ｆ１４０ａまたは１４０ｂで受け取ったコマンドの送信元装置を特定することができ、かつテレビ１３１の入力をコマンドの送信元装置に切り換えられればよい。
【手続補正１５】
【補正対象書類名】明細書
【補正対象項目名】００９４
【補正方法】変更
【補正の内容】
【００９４】
また、テレビ１３１は、二つのデータ入力Ｉ／Ｆを備えていると説明したが、三つ以上のデータ入力Ｉ／Ｆを備えていてもよい。これらのデータ入力Ｉ／Ｆは、同一の種類であってもよいし、異なる種類であってもよい。さらに、データ入力Ｉ／Ｆに同時に接続できる装置は一台であってもよいし、複数台であってもよい。要するに、コマンド送受信Ｉ／Ｆ１４０ａまたは１４０ｂで受け取ったコマンドの送信元装置を特定することができ、かつテレビ１３１の入力をコマンドの送信元装置に切り換えられればよい。
【手続補正１６】
【補正対象書類名】明細書
【補正対象項目名】０１１４
【補正方法】変更
【補正の内容】
【０１１４】
以上のように、本実施の形態３によれば、テレビ１３１が一つのデータ入力Ｉ／Ｆしか備えていない場合でも、ＤＶＤレコーダ１０１の出力がＥＥ画面に戻った時、自動的にテレビ１３１の入力をＳＴＢ１５１で受信したケーブルテレビ放送に切り換えることができる。
【手続補正１７】
【補正対象書類名】明細書
【補正対象項目名】０１５０
【補正方法】変更
【補正の内容】
【０１５０】
本発明に係る再生装置は、産業上の応用例として、テレビの入力を自動的にＳＴＢなどの放送受信装置からの出力に切り換えることが必要なＶＴＲやＤＶＲ等の用途にも適用することができる。
【手続補正１８】
【補正対象書類名】図面
【補正対象項目名】図１１
【補正方法】変更
【補正の内容】
【図１１】
2007067947.tif 000001
【手続補正１９】
【補正対象書類名】図面
【補正対象項目名】図１３
【補正方法】変更
【補正の内容】
【図１３】
2007067947.tif 000002